(57)【要約】【課題】防汚用の簡易なシートや他の機能用品の付加や取替えが非常に簡単で，且つ，前記シートや他の機能用品が付加されていてもいなくても，結合手段としてのファスナー等を外に露出しないように隠すことができる家具又は寝具の中身用袋を提供する。【解決手段】上下２面を有する袋体と，袋体の上面の周縁に設けられている第１の結合手段と，上下２面を有していて袋体の周縁から一側縁が突出するように，他側縁が袋体の周縁に沿って固定されている長尺平面状の延伸部材と，延伸部材の一側縁の上面に設けられていて，第１の結合手段に着脱可能に結合することができる第２の結合手段とを備え，延伸部材の上面を袋体の上面と近接させるように延伸部材を折り畳んでから第２の結合手段と第１の結合手段とを結合すると，第１及び第２の結合手段は袋体と延伸部材との間に挟まれて隠される。【選択図】　　図１
2004049814.tif 000002
【特許請求の範囲】
【請求項１】
上下２面を有する袋体と，
前記袋体の上面の周縁に設けられている第１の結合手段と，
上下２面を有していて前記袋体の周縁から一側縁が突出するように，他側縁が前記袋体の周縁に沿って固定されている長尺平面状の延伸部材と，
前記延伸部材の前記一側縁の上面に設けられていて，前記第１の結合手段に着脱可能に結合することができる第２の結合手段とを備えてなり，
前記延伸部材の上面を前記袋体の上面と近接させるように前記延伸部材を折り畳んでから前記第２の結合手段と前記第１の結合手段とを結合すると，前記第１及び第２の結合手段はすべて前記袋体と前記延伸部材との間に挟まれて隠されることを特徴とする，家具又は寝具の中身用袋。
【請求項２】
第１の平面体の下面の周縁に設けた結合手段を前記第１の結合手段と着脱可能に結合して，該第１の平面体で前記袋体の上面を遮蔽し，また前記第２の結合手段を下方へ向かわせるように前記延伸部材を前記袋体の下側に折り畳んでから，第２の平面体の上面の周縁に設けた結合手段を前記第２の結合手段と着脱可能に結合して，該第２の平面体で前記袋体の下面を遮蔽していることを特徴とする，請求項１に記載の家具又は寝具の中身用袋。
【請求項３】
第３の平面体が前記袋体と前記第２の平面体との間に挟まれて設けられ，この第３の平面体の上面の周縁に設けた結合手段が，前記袋体の下面の周縁に設けた第３の結合手段に着脱可能に結合されることを特徴とする，請求項２に記載の家具又は寝具の中身用袋。
【請求項４】
前記袋体の下面の前記第３の結合手段の近くに，前記第３の平面体が設けられていない時に前記第３の結合手段を遮蔽するための平面遮蔽体が設けられていることを特徴とする，請求項３に記載の家具又は寝具の中身用袋。
【請求項５】
前記第２の平面体の周縁沿いに一部が明いたままジッパーが設けられており，前記第２の平面体は，その下面を外面として二つ折りにされると，前記ジッパーにより，開口がある袋になるように接合されて，寝袋として使用可能であることを特徴とする，請求項２〜４のいずれかに記載の家具又は寝具の中身用袋。
【請求項６】
前記袋体は，開口付きの袋体であることを特徴とする，請求項１〜４のいずれかに記載の家具又は寝具の中身用袋。
【発明の詳細な説明】
【０００１】
【発明の属する技術分野】
本発明は家具又は寝具の中身用袋に関し，特に家具又は寝具の本体，もしくはこれらの内部の保温材や支持材などをカバーしてから，それらを保護したり装飾したりすることができ，且つ防汚用シートや他の機能用品を必要に応じて付加できるようにした家具又は寝具の中身用袋に関する。
【０００２】
【従来の技術】
従来の家具又は寝具は，そのものや表面の織物によって保温，保護や体圧の吸収，分散などの機能を備えている。このような製品としては，座敷，ソファー，マットレス，枕や布団などがあり，それらの使用寿命を延長するように外からカバー体（例えば，布団カバーやマットレスカバー，ピロケース）でカバーされ保護されているが，洗濯や取替えを行う際，前記カバー体の脱着が不便で手間が掛かるので，前記カバー体の適当な箇所にファスナーなどの結合手段を設けてから，当該結合手段を利用し，前記カバー体の汚れやすいところに防汚用の簡易なシートを脱着容易に付加してなる家具又は寝具が市販されている。
【０００３】
また，家具又は寝具の内部は，中身用袋で製品内の綿や羽根，ナイロンなどの保温材もしくはスプリングコイルやウレタンフォームなどの支持材が収納されている。一般的に，この中身用袋は保温材や支持材を収納して，家具や寝具の本体もしくは一部を構成している。
【０００４】
家具又は寝具における上記カバー体と中身用袋とは用途が違い，カバー体は中身用袋を保護したり装飾したりするものに対して，中身用袋は保温材や支持材を収納するものである。なお，カバー体の脱着不便という欠点について改良されたものが多く市販されているが，家具又は寝具の中身用袋の洗濯や中身変更ができないという欠点について改良するものがないと言える。
【０００５】
【発明が解決しようとする課題】
しかしながら，前記家具又は寝具に前記防汚用の簡易なシートが付加されていない時（例えば洗濯時），前記結合手段としてのファスナーなどは，使用者の肌を擦って不快な刺激を与えたり傷つけたりするという欠点がある。
【０００６】
また，中身用袋はソファやマットレスなどに用いられ，直接に洗濯されることができないので，その表面の織物が汚れされたり破損されたりしただけで家具又は寝具全体を更新するのは，資源的には非常に浪費だけではなく，大量な粗大ゴミが産み，環境にも悪影響を来す。
【０００７】
したがって，本発明の目的は，防汚用の簡易なシートや他の機能用品の付加や取替えが非常に簡単で，且つ，前記防汚用の簡易なシートや他の機能用品が付加されていても又はいなくても，結合手段としてのファスナーなどが外に露出しないように隠されることができる家具又は寝具の中身用袋を提供しようとすることにある。
【０００８】
【課題を解決するための手段】
前記目的を達成するため，本発明は，上下２面を有する袋体と，前記袋体の上面の周縁に設けられている第１の結合手段と，上下２面を有していて前記袋体の周縁から一側縁が突出するように，他側縁が前記袋体の周縁に沿って固定されている長尺平面状の延伸部材と，前記延伸部材の前記一側縁の上面に設けられていて，前記第１の結合手段に着脱可能に結合することができる第２の結合手段とを備えてなり，前記延伸部材の上面を前記袋体の上面と近接させるように前記延伸部材を折り畳んでから前記第２の結合手段と前記第１の結合手段とを結合すると，前記第１及び第２の結合手段はすべて前記袋体と前記延伸部材との間に挟まれて隠されることを特徴とする家具又は寝具の中身用袋を提供する。前記構成による家具又は寝具の中身用袋は，防汚用の簡易なシートや他の機能用品が付加されている時，前記第１及び第２の結合手段は前記防汚用の簡易なシートや他の機能用品上にある対応の結合手段と結合して隠されており，また，防汚用の簡易なシートや他の機能用品が付加されていない時，前記延伸部材の上面を前記袋体の上面と近寄せるように前記延伸部材を折り畳んでから前記第２の結合手段と前記第１の結合手段とを結合して，前記第１の結合手段と前記第２の結合手段とを共に前記袋体と前記延伸部材との間に挟んで隠すことができる。
【０００９】
前記構成による家具又は寝具の中身用袋は，更に，防汚用の簡易なシートや他の機能用品として，下面の周縁に結合手段がついている第１の平面体及び上面の周縁に結合手段がついている第２の平面体を付加することができる。即ち，本発明は，第１の平面体の下面の周縁に設けた結合手段を前記第１の結合手段と着脱可能に結合して，該第１の平面体で前記袋体の上面を遮蔽し，また前記第２の結合手段を下方へ向かわせるように前記延伸部材を前記袋体の下側に折り畳んでから，第２の平面体の上面の周縁に設けた結合手段を前記第２の結合手段と着脱可能に結合して，該第２の平面体で前記袋体の下面を遮蔽していることを特徴とする家具又は寝具の中身用袋をも提供する。
【００１０】
また，前記構成による家具又は寝具の中身用袋は，更に，防汚用の簡易なシートや他の機能用品として，上面の周縁に前記第３の結合手段と結合できる結合手段がついている第３の平面体を付加することができる。即ち，本発明は，第３の平面体が前記袋体と前記第２の平面体との間に挟まれて設けられ，この第３の平面体の上面の周縁に設けた結合手段が，前記袋体の下面の周縁に設けた第３の結合手段に着脱可能に結合されることを特徴とする家具又は寝具の中身用袋をも提供する。
【００１１】
また，防汚用の簡易なシートや他の機能用品が付加されていず，且つ，前記第１の結合手段と前記第２の結合手段とが互いに結合して前記袋体と前記延伸部材との間に挟まれて隠されている時における前記第３の結合手段の使用者に対する不快な刺激や可能な傷害を避けるために，前記袋体の下面の前記第３の結合手段の近くに，前記第３の結合手段を常時遮蔽することができる平面遮蔽体を設けることが好ましい。
【００１２】
【発明の実施の形態】
以下，本発明の家具又は寝具の中身用袋の好ましい実施形態を詳しく説明する。尚，以下の説明において，そのサイズに拘らず，略同一の機能及び構成を有する構成要素については，同一符号を付し，重複説明は必要な場合にのみ行う。
【００１３】
まず，図１ないし図３を参照しながら，第１の実施形態について説明する。
（第１の実施形態）
本実施形態における家具又は寝具の中身用袋は布団として使われるものである。この家具又は寝具の中身用袋は，図１に示すように，主として，羽根やシルク，綿などの保温材からなる布団中身を内蔵保護するための袋体１０と，前記袋体１０についている第１の平面体１６，第２の平面体１７と及び第３の平面体１８とからなる。
【００１４】
前記袋体１０は，上下２面を有していてその上面の周縁に設けられている第１の結合手段１１としてのジッパーと，上下２面を有していて袋体１０の周縁から一側縁が突出するように，他側縁が袋体１０の周縁に沿って固定されている長尺平面状で帯状の布製（皮製でも良い）の延伸部材１０１と，前記延伸部材１０１の前記一側縁の上面に設けられていて，前記第１の結合手段１１と互いに着脱可能に結合することができる第２の結合手段１２としてのジッパーと，前記袋体１０の下面の周縁に設けられている第３の結合手段１３としてのマジックテープとを備えてなる。
【００１５】
なお，前記第１の平面体１６および第２の平面体１７は，布団カバーとして使われるものである。図２に示すように，前記第１の平面体１６の下面および前記第２の平面体１７の上面の周縁には，それぞれ結合手段１６１，１７１としてのジッパーがついていて，当該結合手段１６１を前記第１の結合手段１１と結合してから，前記第１の平面体１６で前記袋体１０の上面を遮蔽することができ，また，前記第２の結合手段１２を下方へ向かわせるように前記延伸部材１０１を前記袋体１０の下に折り畳んでから，前記結合手段１７１を前記第２の結合手段１２と結合して前記第２の平面体１７で前記袋体１０の下面を遮蔽することができる。
【００１６】
本実施形態における前記第３の平面体１８は，前記第３の結合手段１３と結合できる結合手段１８１としてのマジックテープがついている毛布や肌掛け布団などの保温用の薄い掛け布団であり，前記結合手段１８１を前記第３の結合手段１３と結合することにより，前記袋体１０と前記第２の平面体１７との間に挟まれている。
【００１７】
更に，図３に示すように，前記袋体１０の下面の前記第３の結合手段１３の近くに，前記第３の平面体１８が設けられていない時に前記第３の結合手段１３を遮蔽するための平面遮蔽体１４が設けられている。この平面遮蔽体１４はレースなどの生地からなるものである。
【００１８】
こうして，前記袋体１０は，直接に使用者と接触しないので，汚れる恐れがなく，また，前記第１の平面体１６および第２の平面体１７は汚れた時も，それらを前記袋体１０から外して清潔を行い，もしくは取替えれば良い。更に，前記第１の結合手段１１などのすべての結合手段も外に露出しないので，それらの使用者に対する不快な刺激や可能な傷害を避けることができる。
【００１９】
次に，図４を参照しながら，本発明の第２の実施実施形態について説明する。（第２の実施形態）
本実施形態における家具又は寝具の中身用袋は，図４に示すように，ほぼ前記実施形態と同じように構成されているが，前記袋体１０はより大きな布団中身が収納できるようにされていて，より厚い布団として使われるものである。
【００２０】
本実施形態において，前記第１の結合手段１１及び第２の結合手段１２は，それぞれ前記袋体１０の上下２四方形の面の３周縁のみに設けられている。なお，前記第１の平面体１６は，その長さが前記袋体１０より短いが，前記第１の結合手段１１と対応できるようにその３周縁に設けられた結合手段１６１と，当該結合手段１６１が設けられていない周縁，即ち使用する際に使用者の頭部に近寄る周縁に設けられた複数のループ１６２とを備えている。一方，前記第２の平面体１７は，前記袋体１０の前記第１の結合手段１１及び第２の結合手段１２が設けられていない側辺に回って前記第１の平面体１６と結合できるような長さで構成され，前記第２の結合手段１２と対応できるように設けられた結合手段１７１と，当該結合手段１７１が設けられていない周縁に設けられた複数のボタン１７２とを備えている。
【００２１】
本実施形態における各結合手段の結合関係は，ほぼ前記第１の実施形態と同じであるが，前記複数のボタン１７２を前記袋体１０の側辺に回して前記複数のループ１６２と結合するので，結合手段の使用者の頭部に対する不快な刺激を防ぐことができる。
【００２２】
次に，図５，６を参照しながら，本発明の第３の実施形態について説明する。（第３の実施形態）
本実施形態における家具又は寝具の中身用袋は，ほぼ前記実施形態と同じように構成されているが，前記実施形態と比較すると全体のサイズがより小さく，且つ，前記袋体１０に中身を入れるための開口１０２が設けてあって，枕やクッション，座布団などとして使われるものである。また，前記第３の平面体１８については，その機能を増加するよう，他の特殊なものを付加したものを使用しても良い。例えば，その中に茶葉などの香りがあるものが充填されたものを用いても良いし，もしくは図６に示すように，その表面に複数の磁石マッサージ粒１８ａなどが設けられているものを用いても良い。
【００２３】
また，本実施形態における家具又は寝具の中身用袋は，ソファやベッドのヘッドボードに用いられているクッションとして使われるものであれば，前記第１，第２の平面体１６，１７は結合手段を有するものとして直接にソファやベッドのヘッドボードに設けても良い。こうして，本実施形態における家具又は寝具の中身用袋は，その結合手段と平面体上の結合手段との結合によって，ソファやベッドのヘッドボードにしっかり装着されることができる。
【００２４】
次に，図７，８を参照しながら，本発明の第４の実施形態について説明する。（第４の実施形態）
本実施形態における家具又は寝具の中身用袋は，ほぼ前記実施形態と同じように構成されているが，図７に示すように，ベッド４０を覆うためのベッドスーツやベッドカバーとして使われるものである。前記第２の平面体１７は，ベッドスカートであり，前記第２の結合手段１２と結合できるようにその一側辺に結合手段１７１が設けられている。なお，ベッドスカートといえば，一般的には寝台の三つの側面に設けられているので，前記袋体１０の第２の平面体１７と対応する三つの周縁のみに前記第２の結合手段１２を設けてもよい。
【００２５】
次に，図９ないし図１１を参照しながら，本発明の第５の実施形態について説明する。
（第５の実施形態）
本実施形態のおける家具又は寝具の中身用袋は，図９に示すように，ほぼ前記実施形態と同じように構成されているが，前記第２の平面体１７の周縁沿いに一部が明いたままジッパー１７３，１７４が設けられており，図１０及び図１１に示すように，前記第２の平面体１７がその下面を外面として二つ折りにされると，前記結合手段１７３，１７４により，開口がある袋になるように接合されて寝袋とされることができる。また，本実施形態において，前記第３の平面体１８は防湿シートである。
【００２６】
次に，図１２，１３を参照しながら，本発明の第６の実施形態について説明する。
（第６の実施形態）
本実施形態における家具又は寝具の中身用袋は，ほぼ前記第４の実施形態と同じように構成されているが，前記袋体１０の中にマットレス６０やマットレスの支持材（例えば，スプリングコイルやウレタンフォームなど）が入れられ，マットレスとして使われるものである。また，前記袋体１０は，その上面に第３の結合手段１３が設けられ，ベッドパッドとしての前記第３の平面体１８と結合することができ，且つ，その側辺の下縁に前記第１の結合手段１１が設けられ，マットレスカバーとしての前記第１の平面体１６と結合し，また，その三つの側辺の前記第１の結合手端１１より下縁に近いところにベッドスカートとしての前記第２の平面体１７と結合することができる。
【００２７】
ちなみに，前記各実施形態における各結合手段は，実施例のようなジッパーやマジックテープ，ボタンなどに限定されるものではなく，結合の目的を達成することができるものならば種々の変更または組合せが可能である。
【００２８】
以上説明した実施の形態は，あくまでも本発明の技術的内容を明らかにする意図のものにおいてなされたものであり，本発明はそうした具体例に限定して狭義に解釈されるものではなく，本発明の精神と特許請求の範囲に限定された範囲で，いろいろと変更して実施できるものである。
【００２９】
【発明の効果】
前記構成によると，本発明の家具又は寝具の中身用袋は，布団，ベッドのヘッドボード，マットレス，枕，クッションなどに適用されることができ，その平面体の洗濯や取替えが容易であり，また必要に応じて他の機能用品を付加することも非常に容易で，家具又は寝具の使用寿命を延長することができると共に，前記平面体が付加されていても又はいなくても，結合手段としてのファスナーなどを外に露出しないように隠すことができる。
【００３０】
また，本発明の家具又は寝具の中身用袋は，季節や使用者の好みに応じて前記平面体を入替えることによって，本来の機能を変更することができる。例えば，前記ベッドパッドとしての第３の平面体を水パッドと入替えれると，水マットレスになり，また精油加工パッドと入替えれると，健康マットレスになる。そして，本発明の家具又は寝具の中身用袋で破損された家具又は寝具をカバーすることによって，家具又は寝具の本来の機能を回復したり，新機能を付与したりすることもできる。
【図面の簡単な説明】
【図１】本発明の第１の実施形態の分解斜視図
【図２】前記第１の実施形態の一部の断面図
【図３】前記第１の実施形態における第１の結合手段と第２の結合手段とが互いに結合した状態を示す断面図
【図４】本発明の第２の実施形態の分解斜視図
【図５】本発明の第３の実施形態の断面図
【図６】前記第３の実施形態における第３の平面体の他の変化例を示す図
【図７】本発明の第４の実施形態の斜視図
【図８】前記第４の実施形態の一部の断面図
【図９】本発明の第５の実施形態の斜視図
【図１０】前記第５の実施形態の斜視図
【図１１】前記第５の実施形態の断面図
【図１２】本発明の第６の実施形態の分解斜視図
【図１３】前記第６の実施形態の一部の断面図
【符号の説明】
１０…袋体
１１…第１の結合手段
１２…第２の結合手段
１３…第３の結合手段
１４…平面遮蔽体
１６…第１の平面体
１７…第２の平面体
１８…第３の平面体
１８ａ…磁石マッサージ粒
４０…ベッド
６０…マットレス
１００…家具又は寝具の中身用袋
１０１…延伸部材
１０２…開口
１６１，１７１，１８１…結合手段
１６２…ループ
１７２…ボタン
１７３，１７４…ジッパー
【図１】
2004049814.tif 000003
【図２】
2004049814.tif 000004
【図３】
2004049814.tif 000005
【図４】
2004049814.tif 000006
【図５】
2004049814.tif 000007
【図６】
2004049814.tif 000008
【図７】
2004049814.tif 000009
【図８】
2004049814.tif 000010
【図９】
2004049814.tif 000011
【図１０】
2004049814.tif 000012
【図１１】
2004049814.tif 000013
【図１２】
2004049814.tif 000014
【図１３】
2004049814.tif 000015